(57)【要約】【課題】バルコニー床面の高さレベルをサッシ下枠の高さレベルに近づけることを可能とする、新規なバルコニーの構造について提案する。【解決手段】バルコニー１の重量を支える構造躯体としてのブラケット５と、前記ブラケット５に支持されるバルコニー床支持体６０（前桁６、後桁７、根太８）と、開口部装置下枠としてのサッシ下枠３１を介して室内床面２１と連続的につながるバルコニー床面１１と、前記バルコニー床支持体６０の後部側と、前記サッシ下枠３１の間の位置に配設される排水機構と、を有する構成とする。【選択図】図１
2010265679.tif 000002
【特許請求の範囲】
【請求項１】
バルコニーの重量を支える構造躯体と、
前記構造躯体に支持されるバルコニー床支持体と、
前記バルコニー床支持体の上方に形設され、開口部装置下枠を介して室内床面と連続的につながるバルコニー床面と、
前記バルコニー床支持体の後部と、前記開口部装置下枠の間の位置に配設される排水機構と、
を有する、バルコニーの構造。
【請求項２】
前記バルコニー床面の後部側と開口部装置下枠の間に、下枠水切部材を有し、
前記下枠水切部材は前部側が低くなる勾配を有し、
前記下枠水切部材の前部から水を流下させて、前記排水機構で捕捉する構成とする、
ことを特徴とする、請求項１に記載のバルコニーの構造。
【請求項３】
前記バルコニー床面の後部側と前記下枠水切部材の間に、隙間を形設し、前記隙間を介して、前記排水機構へと水が導かれる構成とする、
ことを特徴とする、請求項２に記載のバルコニーの構造。
【請求項４】
前記下枠水切部材の下方には、前記隙間と連通し、前記下枠水切部材によって覆われる溝部が形成され、前記隙間を通過した水が、前記溝部を通過させた後に、前記排水機構へと導かれる構成とする、
ことを特徴とする、請求項３に記載のバルコニーの構造。
【請求項５】
前記下枠水切部材は、前記開口部装置下枠の成形時に一体的に形設される水切取付部に取付けられる、
ことを特徴とする、請求項２乃至請求項４のいずれか一項に記載のバルコニーの構造。
【発明の詳細な説明】
【技術分野】
【０００１】
本発明は、建物に設置されるバルコニーの構造に関するものであり、より詳しくは、バルコニーと室内空間との間の移動を容易に可能とするための技術に関する。
【背景技術】
【０００２】
従来、バルコニーと室内との間での移動のし易さに鑑みて、サッシ下枠を跨ぐ際の跨ぎ段差を小さくするための技術が知られており、これについて開示する文献も存在する（特許文献１、２参照。）。
【０００３】
これら特許文献１、２に開示される技術においては、バルコニー床面と室内床面の高さが略同一となる構造であるため、サッシ下枠の跨ぎ寸法が必要とされるものであった。ここで、跨ぎ寸法が発生するのは、サッシ下枠の室外側にて防水立上り壁を形成し、室内側への雨水の浸入を防止する必要があるためである。
【先行技術文献】
【特許文献】
【０００４】
【特許文献１】特開２０００−６４４１５号公報
【特許文献２】特開２００４−９２１８８号公報
【発明の概要】
【発明が解決しようとする課題】
【０００５】
ところで、跨ぎ寸法は、バリアフリーの観点からは、極力小さくすることが望ましい。このことから、図７（ａ）に示すごとく、室内床面９１の高さレベル９１Ｌを、サッシ下枠９２の高さレベル９２Ｌ（サッシ下枠９２の最も高い位置）と略同じに設定することで、室内空間Ｒ９１からバルコニーＢ９０へ移動する際に、サッシ下枠９２を跨ぐ動作を不要とする構成が考えられる。特に、近年では、室内床において、いわゆる二重床構造の採用が多くなされており、この二重床構造の採用と合わせて、サッシ下枠の高さレベル９２Ｌに室内床面の高さ９１Ｌをできるだけ合わせる構成が採られることがある。
【０００６】
一方で、上述の雨水の浸入防止の観点から、バルコニー床面９０の高さレベル９０Ｌは、防水立上り壁９３を形成させるために、サッシ下枠９２の高さレベル９２Ｌよりも低く設定し、バルコニー床面９０とサッシ下枠９２の間に段差Ｄ９０を設ける必要が有る。このため、バルコニーＢ９０から室内空間Ｒ９１へ移動する際には、この段差Ｄ９０を乗り越えるために足を上げなければならないことになる。
【０００７】
また、室内からバルコニーＢ９０へ移動する際には、バルコニー床面９０の高さレベル９０Ｌが室内床面９１の高さレベル９１Ｌよりも低いため、バルコニー床面９０を足元で確認できるまでには、段差Ｄ９０に相当する高さの分だけ足を下げる（踏み込む動作）必要がある。この場合、段差Ｄ９０が大きい場合には、足元でバルコニー床面９０が確認できるまでに時間がかかることから、バルコニー床面９０が存在しないのでは、といった不安を生じさせることになりかねない。特に、高層階（例えば、三階など）では、バルコニーＢ９０からの視界が良好であると、その不安が大きくなり、恐怖心さえ生じさせてしまうことが懸念される。
【０００８】
以上のことから、バルコニー床面９０の高さレベル９０Ｌをサッシ下枠９２の高さレベル９２Ｌに可能な限り近づける構成が要求されることになる。ここで、図７（ｂ）に示すごとく、バルコニーＢ９０について、単純に新たな別の床材９４を用いて底上げすることで二重床構造にすることも考えられるが、コストアップにつながってしまうことになる。また、新たな別の床材も用いずに、単純にバルコニー床面９０の高さレベル９０Ｌを上げる構成（単に、バルコニー床面９０を当初から高い位置に設計しておくこと。）も考えられるが、図７（ａ）に示す防水立上り壁９３の高さを形成する段差Ｄ９０を確保できなければ、サッシ下枠９２を介して室内床面９１へ水が浸入してしまうことになるため、バルコニー床面９０を高めるには限界がある（段差Ｄを確保する必要があるということ。）。
【０００９】
さらに、図７（ｂ）に示される構造のように、胴差９５からブラケット９６（腕部材）を室外方向に張り出して、このブラケット９６にてバルコニー床面９０を支持する構成である場合には、このブラケット９６の上下位置が胴差９５の高さによって決まることになる。このため、胴差９５から室内床面９１までの距離９７が大きな場合には、仮に、単純に新たな別の床材９４を用いてバルコニー床面９０を底上げして二重床構造とすると、かなりの寸法の底上げが必要になり、剛性を確保するための高剛性の部材が必要となって、重量増やコストアップが強いられることになる。また、底上げすることで形成される空間９８が無駄に空いてしまうことになる。
【００１０】
そこで、本発明は、以上の問題点に鑑み、バルコニー床面の高さレベルをサッシなどの開口部装置の下枠の高さレベルに近づけることを可能とする、新規なバルコニーの構造について提案するものである。
【課題を解決するための手段】
【００１１】
本発明の解決しようとする課題は以上の如くであり、次にこの課題を解決するための手段を説明する。
【００１２】
即ち、請求項１に記載のごとく、
バルコニーの重量を支える構造躯体と、
前記構造躯体に支持されるバルコニー床支持体と、
前記バルコニー床支持体の上方に形設され、開口部装置下枠を介して室内床面と連続的につながるバルコニー床面と、
前記バルコニー床支持体の後部と、前記開口部装置下枠の間の位置に配設される排水機構と、
を有する構成とするものである。
【００１３】
また、請求項２に記載のごとく、
前記バルコニー床面の後部側と開口部装置下枠の間に、下枠水切部材を有し、
前記下枠水切部材は前部側が低くなる勾配を有し、
前記下枠水切部材の前部から水を流下させて、前記排水機構で捕捉する構成とするものである。
【００１４】
また、請求項３に記載のごとく、
前記バルコニー床面の後部側と前記下枠水切部材の間に、隙間を形設し、前記隙間を介して前記排水機構へと水が導かれる構成とするものである。
【００１５】
また、請求項４に記載のごとく、
前記下枠水切部材の下方には、前記隙間と連通し、前記下枠水切部材によって覆われる溝部が形成され、前記隙間を通過した水が、前記溝部を通過させた後に、前記排水機構へと導かれる構成とするものである。
【００１６】
また、請求項５に記載のごとく、
前記下枠水切部材は、前記開口部装置下枠の成形時に一体的に形設される水切取付部に取付けられる、こととするものである。
【発明の効果】
【００１７】
本発明の効果として、以下に示すような効果を奏する。
【００１８】
即ち、請求項１に記載の発明においては、
仮に、バルコニー床面の高さレベルを、開口部装置下枠の高さレベルに近づけるように高く設計した場合であっても、前記バルコニー床支持体の後部と、前記開口部装置下枠の間の位置に配設される排水機構に水を流下させて排水をすることができ、バルコニー床面の水が、開口部装置下枠を乗り越えて室内床面へと浸入することを防止できる。
また、バルコニー床面の高さレベルの設定は、バルコニー床支持体の設計、例えば、前桁や後桁の高さ寸法の設計によって容易に実施することが可能であり、サッシ下枠の高さレベルとの関係によって、適宜、バルコニー床支持体を設計することで、バルコニー床面とサッシ下枠の間に生じる段差を小さくすることが可能となる。
【００１９】
また、請求項２に記載の発明においては、
下枠水切部材の勾配によって、開口部装置下枠に近い側にある水を速やかに排水機構へと案内することができる。
【００２０】
また、請求項３に記載の発明においては、
隙間を介して多量の水を排水機構へと速やかに案内することができ、バルコニー床面における水嵩の上昇を防止することができる。
【００２１】
また、請求項４に記載の発明においては、
バルコニー床面に短時間に多量の水が発生した場合でも、溝部をバッファーとして一時的に水を貯溜することができ、バルコニー床面の急激な水嵩の上昇を防止することができる。
【００２２】
また、請求項５に記載の発明においては、
下枠水切部材を取付けるための構造構造について、部品点数を少なくできるる。
【図面の簡単な説明】
【００２３】
【図１】本発明の一実施例にかかるバルコニー構造の全体構成について示す図。
【図２】本発明の一実施例にかかるバルコニー構造の後部側の構成について示す図。
【図３】本発明の一実施例にかかるバルコニー構造の後部側の構成について示す図。
【図４】排水機構（樋）の部位の構成について示す図。
【図５】本発明の一実施例にかかるバルコニー構造におけるサッシ下枠まわりの構成について示す図。
【図６】本発明の一部の構成を適用した柱建て式のバルコニー構造について示す図。
【図７】（ａ）は、従来の一般的なバルコニーの構造について示す図。（ｂ）は、バルコニーについて新たな別の床材にて底上げをした場合の構成について示す図。
【発明を実施するための形態】
【００２４】
次に、発明の実施の形態を説明する。
以下の説明において、位置関係を説明するための用語に関し、バルコニーが付設される外壁部（サッシ開口部）から遠い位置となる側を、前部側、もしくは、前側とする。一方、バルコニーが付設される外壁部（サッシ開口部）に近い位置となる側を、後部側、もしくは、後側とする。
【００２５】
図１に示すごとく、バルコニー１は、外壁１０よりも室外側に持ち出すようにして構成される。バルコニー床面１１は、複数のブロック状のマット１２・１２の上面によって形設されている。このバルコニー床面１１は、室内空間２の室内床面２１と、サッシ３（サッシ下枠３１）を介して連続するように構成されている。
【００２６】
そして、本実施形態においては、図５に示すごとく、バルコニー床面１１の高さレベル１１Ｌを、サッシ下枠３１の高さレベル３１Ｌ（図５の例では、ガイドレール３０ａの壁高さとなる）に近づけた設計とし、段差Ｄが小さく設定される場合であっても、樋１４によって確実に水を捕捉できる構成とするものである。これにより、図１に示すごとく、バルコニー床面１１の水が、サッシ下枠３１を乗り越えて室内床面２１へと浸入することを防止できる構成とするものである。
【００２７】
以下、詳細な構成について説明する。
図１に示すごとく、建物躯体となる胴差４には、この胴差４に後端部が支持固定されるブラケット５が室外方向（バルコニー１の前側）へと延設されている。このブラケット５は、胴差４の長手方向において、間隔を開けて複数箇所に配置されており、各ブラケット５の前端部には前桁６が横架され、各ブラケット５の長手方向の中途部には後桁７が横架される。そして、この図１の構成では、ブラケット５がバルコニーの重量を支える構造躯体となるものである。
【００２８】
また、図１に示すごとく、ブラケット５の上方において、前桁６と後桁７に複数の根太８が横架され、これら、前桁６、後桁７、根太８によって、フロアパネル９を敷設するためのバルコニー床支持体６０が構成されるようになっている。そして、このフロアパネル９にブロック状のマット１２・１２が敷設され、このマット１２・１２の上面によって一連のバルコニー床面１１が形成される。
【００２９】
また、図１に示すごとく、バルコニー床面１１は、バルコニー１の前部側から後部側が低くなるような勾配が形成されるようになっている。また、後桁７と外壁１０の間の空間１３には、上方が開放された長尺の樋１４が配置され、この樋１４によってバルコニー床面１１の勾配によって流れる水が捕捉されるようになっている。また、この樋１４には、その長手方向に勾配が形成されており、樋１４の長手方向の一方から他方に向けて水が流れるようになっている。なお、バルコニー床面１１については、バルコニー１の前部側から後部側が低くなるような勾配が形成されることとするほか、実質的に勾配が付けられない構成とすることや、後部側から前部側が低くなるような勾配が形成されることも実施の形態として想定される。
【００３０】
また、図１に示すごとく、樋１４の上部側は、長尺の樋カバー１５によって覆われており、この樋カバー１５にはマット１６が敷設されている。そして、このマット１６とサッシ下枠３１の間には、下枠水切部材３２が配設されており、この下枠水切部材３２とサッシ下枠３１を介して、バルコニー床面１１と室内床面２１が連続的につながるように構成されている。なお、マット１６によっても、バルコニー床面１１の一部が構成されるようになっている。
【００３１】
また、図２及び図３に示すごとく、後桁７と外壁１０の間であってブラケット５の上方には空間１３が形設され、この空間１３に樋１４が配設される。この樋１４は、上方が開放される略コ字状の長尺の部材である。
【００３２】
また、図２及び図３に示すごとく、後桁７の上片７ａには、フロアパネル９の端部部材１９が載置されている。この端部部材１９は、後桁７の長手方向と同じ方向に長い長尺部材である。この端部部材１９は、後部側が低くなる傾斜面１９ａと、傾斜面１９ａの後部側に形設される垂片１９ｂを有しており、この垂片１９ｂが樋１４の溝部１４ａに挿入される。
【００３３】
また、図２及び図３に示すごとく、フロアパネル９の端部部材１９と対向するように、受部材１７が配設されている。この受部材１７は、端部部材１９の長手方向と同じ方向に長い長尺部材であって、外壁１０と略同一の壁面を構成する長尺の支持部材１８に支持固定されている。また、受部材１７は、前部側が低くなる傾斜面１７ａと、傾斜面１７ａの前側に形設される垂片１７ｂを有しており、この垂片１７ｂが樋１４の溝部１４ａに挿入される。
【００３４】
また、図２及び図３に示すごとく、端部部材１９と受部材１７には、それぞれ、垂片１９ｂ・垂片１７ｂの上端部付近に水平面部１９ｃ・１７ｃが形設されている。そして、この水平面部１９ｃ・１７ｃに、下方が開放される略コ字状の樋カバー１５の縦面１５ｂ・１５ｂが載置され、樋カバー１５が端部部材１９と受部材１７によって下側から支持されるようになっている。このようにして、樋カバー１５が樋１４の上方に配置されるとともに、樋カバー１５の上面１５ａによって、樋１４の溝部１４ａについて蓋がされるようになっている。
【００３５】
また、図２、図３、及び、図４に示すごとく、樋カバー１５の上面１５ａには、マット１６が敷設されるようになっている。このマット１６には、スリット１６ａ（図４参照）などによる通水部が形設されるようになっており、このマット１６の上面に案内された雨水などは、マット１６を通過して樋カバー１５の上面１５ａへと案内され、さらには、端部部材１９と受部材１７へと案内される。
【００３６】
また、図２及び図４に示すごとく、樋カバー１５の縦面１５ｂには、通水部１５ｃ・１５ｃが設けられており、端部部材１９と受部材１７によって受けられた水が、通水部１５ｃ・１５ｃを通して樋１４へと導かれるようになっている。なお、本実施形態においては、縦面１５ｂを切り欠くことによって、通水部１５ｃ・１５ｃが構成されるようになっている。また、本実施形態では、樋１４と樋カバー１５の組合せにて排水機構が構成されることとしたが、この構成に限定されることなく、例えば、樋１４については、上方が開放される本実施形態の他、円管状や角管状のものを採用し、管壁面に通水部を形設したものとしてもよい。
【００３７】
また、図５に示すごとく、バルコニー床面１１とサッシ下枠３１の間には、段差Ｄが形成されるようになっている。ここで、バルコニー床面１１の高さレベル１１Ｌは、マット１６（及びマット１２（図１参照））の上面によって規定され、サッシ下枠３１の高さレベル３１Ｌは、ガイドレール３０ａによって規定されるようになっている。
【００３８】
また、図５に示すごとく、バルコニー床面１１とサッシ下枠３１の間には、下枠水切部材３２が配設されている。この下枠水切部材３２は、マット１６とサッシ下枠３１との間に形設される溝部４０を上から塞ぐように設けられるものであって、サッシ下枠３１に形設された水切取付部３３に対して取付けられる。
【００３９】
より詳しくは、図５に示すごとく、サッシ下枠３１には、窓サッシ３０のガイドレール３０ａや、網戸３５のガイドレール３５ａよりも下方の位置において、前側（バルコニー床面１１側）に向けて開放される略コ字状の水切取付部３３が設けられている。本実施形態において、この水切取付部３３は、サッシ下枠３１の成形時に同時に一体的に成形されることにより、下枠水切部材３２を取付けるための構造について、部品点数を少なくできるものとなっている。また、水切取付部３３の上辺３３ａ、下片３３ｂの開放縁部には、係止縁部３３ｃ・３３ｄが形設されることで、嵌合部３３ｅが構成されている。
【００４０】
また、図５に示すごとく、下枠水切部材３２は、水切取付部３３に取付けた状態において、バルコニーの前部側に向かって低くなる勾配を有する傾斜面３２ａと、傾斜面３２ａの前部において下方に垂れ下がる垂片３２ｂを有している。また、下枠水切部材３２の後部側には、後側（サッシ下枠３１側）に向けて開放される略コ字状の嵌合部３２ｅが構成されており、この嵌合部３２ｅの開放縁部には、係止縁部３２ｃ・３２ｄが形設されている。
【００４１】
そして、図５に示すごとく、下枠水切部材３２の嵌合部３２ｅを、水切取付部３３の嵌合部３２ｅに挿入し、両者の係止縁部３２ｃ・３２ｄ・３３ｃ・３３ｄが互いに係止し合うことで、下枠水切部材３２が水切取付部３３に取付けられるようになっている。
【００４２】
また、図５に示すごとく、下枠水切部材３２を取付けた状態において、下枠水切部材３２の垂片３２ｂと、マット１６の間には、隙間５０が形設されることが好ましい。この隙間５０を形設することにより、下枠水切部材３２を流れ落ちる水はもちろんのこと、特に、バルコニー床面１１に多量の水が降りかかる場合において、隙間５０を通過させて溝部４０内へと速やかに排水することができる。
【００４３】
また、図５に示すごとく、隙間５０から溝部４０に導かれた水は、受部材１７の傾斜面１７ａに受けられた後、樋カバー１５の通水部１５ｃを介して、樋１４へと案内される。この説明からも解るように、受部材１７は、溝部４０の底面を形設して水を樋１４へと案内させる機能を有するとともに、上述したように、樋カバー１５を下側から支持する機能を有するものであって、この二つの機能を兼ね備えたものとなっている。
【００４４】
また、図５に示すごとく、下枠水切部材３２は、サッシ下枠３１の水切として機能するとともに、溝部４０の上部側を塞ぐ機能を有するものであって、二つの機能を兼ね備えたものとなっている。また、言い換えれば、サッシ３とバルコニー床面１１の間に、溝部４０が形設されるものであって、この溝部４０の上部側が、サッシ下枠３１に取付けられる下枠水切部材３２によって塞がれる構成となっている。
【００４５】
以上のように、図１乃至図５に示されるバルコニーの構造では、
バルコニー１の重量を支える構造躯体としてのブラケット５と、
前記ブラケット５に支持されるバルコニー床支持体６０（前桁６、後桁７、根太８）と、
開口部装置下枠としてのサッシ下枠３１を介して室内床面２１と連続的につながるバルコニー床面１１と、
前記バルコニー床支持体６０の後部側と、前記サッシ下枠３１の間の位置に配設される排水機構と、
を有する構成とするものである。
【００４６】
この構成によれば、図５に示すごとく、仮に、バルコニー床面１１の高さレベル１１Ｌを、開口部装置下枠（サッシ下枠３１）の高さレベル３１Ｌに近づけるように高く設計した場合であっても、前記バルコニー床面１１と前記開口部装置下枠（サッシ下枠３１）の間に配設される排水機構としての樋１４に水を流下させて排水をすることができ、バルコニー床面１１の水が、サッシ下枠３１を乗り越えて室内床面２１（図３参照）へと浸入することを防止できる。また、図２に示すごとく、ブラケット５とバルコニー床面１１の間の空間１３に排水機構（樋１４）を収容することによれば、この空間１３を有効に活用することができる。
【００４７】
また、以上の構成によれば、図１及び図５に示すごとく、バルコニー床面１１の高さレベル１１Ｌの設定は、バルコニー床支持体６０の設計（例えば、前桁６や後桁７の高さ寸法の設計）によって容易に実施することが可能であり、サッシ下枠３１の高さレベル３１Ｌとの関係によって、適宜、バルコニー床支持体６０を設計することで、バルコニー床面１１とサッシ下枠３１の間に生じる段差Ｄ（図５参照）を小さくすることが可能となる。
【００４８】
なお、以上の実施形態では、開口部装置の一例として、サッシを用いて説明をしたが、サッシ（サッシ下枠）のほかに、シャッター（シャッター装置枠の下枠）やドア（ドア枠の下枠）などの開口部装置がバルコニーとの境界部に設けられる場合においても、上記の構成は適用可能である。また、開口部装置下枠（サッシ下枠３１）については、樹脂成形品や、アルミ成形品などが採用し得る。また、ブラケット５が固定される建物躯体は、胴差４としたが、この他、柱などの建物躯体にも固定される場合であっても、本発明は実施することができる。
【００４９】
また、図１乃至図５に示すごとく、前記バルコニー床面１１の後部側と開口部装置下枠としてのサッシ下枠３１の間に、下枠水切部材３２を有し、
前記下枠水切部材３２は前部側が低くなる勾配を有し、
前記下枠水切部材３２の前部から水を流下させて、前記排水機構としての樋１４で捕捉する構成とするものである。
【００５０】
この構成によれば、下枠水切部材３２の勾配によって、開口部装置下枠としてのサッシ下枠３１に近い側にある水を速やかに排水機構（樋１４）へと案内することができる。
【００５１】
また、図５に示すごとく、前記バルコニー床面１１の後部側のマット１６と、前記下枠水切部材３２の間に、隙間５０を形設し、前記隙間５０を介して前記排水機構（樋１４）へと水が導かれる構成とするのである。
【００５２】
この構成によれば、隙間５０を介して多量の水を排水機構（樋１４）へと速やかに案内することができ、バルコニー床面１１における水嵩の上昇を防止することができる。
【００５３】
また、図４及び図５に示すごとく、前記下枠水切部材３２の下方には、前記隙間５０と連通し、前記下枠水切部材３２によって覆われる溝部４０が形成され、前記隙間５０を通過した水が、前記溝部４０を通過させた後に、前記排水機構（樋１４）へと導かれる構成とするものである。
【００５４】
この構成によれば、バルコニー床面１１に短時間に多量の水が発生した場合でも、溝部４０をバッファーとして一時的に水を貯溜することができ、バルコニー床面１１の急激な水嵩の上昇を防止することができる。
【００５５】
また、図５に示すごとく、前記下枠水切部材３２は、開口部装置下枠としてのサッシ下枠３１の成形時に一体的に形設される水切取付部３３に取付けられる、こととするものである。
【００５６】
この構成によれば、下枠水切部材３２を取付けるための構造構造について、部品点数を少なくできるる。
【００５７】
また、図６に示すように、本発明の他の構成を適用した柱建て式のバルコニー構造も考えられ得る。この構造では、バルコニー７０の前部側において、バルコニー床面７１を支持するバルコニー床支持体７２が、バルコニーの重量を支える構造躯体としての柱７３の上部に支持される構成とするものである。この柱７３の下端部には図示せぬ地面などから立ち上げられ、上端部には前桁７４が連結される。この前桁７４から後方へ向かって根太７５が延設され、この根太７５に後桁７６が連結される構成としている。そして、この後桁７６の斜め上後方に、排水機構（樋７７）が配置される構成とするものであり、この排水機構（樋７７）の周りの構成は、上述した実施形態の構成と同様なものとするものであり、バルコニー床面７１と開口部装置下枠（サッシ下枠７８）の間に排水機構（樋７７）が配置されるものである。このように、柱建て式のバルコニー構造についても、本発明を適用することができる。
【産業上の利用可能性】
【００５８】
本発明のバルコニーの構造は、二階以上に設けられるバルコニーに適用されるほか、例えば、庭に設けられるデッキなど、屋外空間に接する箇所に設置される床について、幅広く適用可能である。
【符号の説明】
【００５９】
１    バルコニー
２    室内空間
３    サッシ
４    胴差
５    ブラケット
６    前桁
７    後桁
８    根太
９    フロアパネル
１０    外壁
１１    バルコニー床面
１２    マット
１３    空間
１４    樋
１５    樋カバー
１６    マット
１７    受部材
１９    端部部材
２１    室内床面
３０    窓サッシ
３０ａ    ガイドレール
３１    サッシ下枠
３２    下枠水切部材
３３    水切取付部
４０    溝部
５０    隙間
【図１】
2010265679.tif 000003
【図２】
2010265679.tif 000004
【図３】
2010265679.tif 000005
【図４】
2010265679.tif 000006
【図５】
2010265679.tif 000007
【図６】
2010265679.tif 000008
【図７】
2010265679.tif 000009